(57)【要約】【課題】装置本体に設けるカバーの開放時に、レーザー光の露出を防止するシャッタ機構を備える場合に、シャッタ機構自体やその周辺構造（例えば前記光学ケース）が複雑化してしまう。【解決手段】装置本体２０に対して開閉する単一のフロントカバー２１を備えると共に、フロントカバー２１の開放により、シャッタ下流側領域ＴＬが露出される構成のプリンタ１に、シャッタ下流側領域ＴＬにレーザー光が進入するのを遮断するシャッタ２３と、シャッタ２３を前記レーザー光の遮断位置Ｐｃと開放位置Ｐｏとの間で移動自在に装置本体に支持するリンク機構２４と、シャッタ２３を前記遮断位置Ｐｃに移動するように付勢するスプリング２８、フロントカバー２１の閉鎖に連動してシャッタ２３を開放位置Ｐｏに移動させるリンクレバー２９とを備える。【選択図】図３
2005250325.tif 000002
【特許請求の範囲】
【請求項１】
装置本体に対して開閉する単一の本体カバーを備えると共に、
該本体カバーの開放により、
レーザー走査装置より感光体に至る光路領域の少なくとも一部が露出される構成の画像形成装置であって、
前記本体カバーの開放時に露出される光路領域にレーザー光が進入するのを遮断するシャッタと、
該シャッタを前記レーザー光の遮断位置と開放位置との間で移動自在に装置本体に支持するリンク機構と、
シャッタを前記遮断位置に移動するように付勢する付勢手段と、
本体カバーの閉鎖に連動して前記シャッタを開放位置に移動させる連動手段と、
を備える、
ことを特徴とする画像形成装置。
【請求項２】
前記連動手段を、前記シャッタの移動方向に沿って前記装置本体に移動自在に設けるリンクレバーとし、
該リンクレバーの前記移動方向における長さを、該リンクレバーの移動する軸上で、遮断位置のシャッタと閉鎖状態の本体カバーとの離間距離よりも長くした、
ことを特徴とする請求項１に記載の画像形成装置。
【請求項３】
前記本体カバーは、装置本体の前面側で装置本体に対して開閉可能に取り付けられ、前記感光体およびその周辺部を露出させるフロントカバーとした、
ことを特徴とする請求項１または請求項２に記載の画像形成装置。
【発明の詳細な説明】
【技術分野】
【０００１】
本発明は、レーザー走査装置を備える画像形成装置の技術に関する。
【背景技術】
【０００２】
従来より、レーザー走査装置を備える画像形成装置においては、装置本体に開閉自在に設けるカバーを開放した際に、レーザー光が外部に漏れることが万が一にもないように露出防止対策が施されている。
このような露出防止対策が施された技術としては、特許文献１や特許文献２に開示される技術がある。
【０００３】
【特許文献１】特開平８−４４１６１号公報
【特許文献２】特開平１１−２９６０２８号公報
【発明の開示】
【発明が解決しようとする課題】
【０００４】
特許文献１に開示される技術では、レーザー光学系として備えられる光学ケースの内部に、レーザー光の光源とその光路とが設けられ、この光路がシャッターにより遮断される構成である。つまり、シャッタが光学ケースの内部に進出し該内部より退出される構成である。したがって、レーザー光学系を一体化したユニット構成とする場合に、その構成が複雑化してしまうことになる。
【０００５】
また、特許文献２に開示される技術は、開放によりレーザー光露出の恐れがあるカバーが、装置本体に複数設けられる場合の技術である。このため、これらのカバーのうち、どのカバーの開放があってもレーザー光の外部への露出を遮断する必要があるため、シャッタ閉鎖機構の構成が複雑化するものとなっている。
【０００６】
つまり、解決しようとする問題点は、装置本体に設けるカバーの開放時に、レーザー光の露出を防止するシャッタ機構を備える場合に、シャッタ機構自体やその周辺構造（例えば前記光学ケース）が複雑化してしまう点である。
【課題を解決するための手段】
【０００７】
本発明の解決しようとする課題は以上の如くであり、次にこの課題を解決するための手段を説明する。
【０００８】
即ち、請求項１においては、
装置本体に対して開閉する単一の本体カバーを備えると共に、
該本体カバーの開放により、
レーザー走査装置より感光体に至る光路領域の少なくとも一部が露出される構成の画像形成装置であって、
前記本体カバーの開放時に露出される光路領域にレーザー光が進入するのを遮断するシャッタと、
該シャッタを前記レーザー光の遮断位置と開放位置との間で移動自在に装置本体に支持するリンク機構と、
シャッタを前記遮断位置に移動するように付勢する付勢手段と、
本体カバーの閉鎖に連動して前記シャッタを開放位置に移動させる連動手段と、
を備えるものである。
【０００９】
請求項２においては、
前記連動手段を、前記シャッタの移動方向に沿って前記装置本体に移動自在に設けるリンクレバーとし、
該リンクレバーの前記移動方向における長さを、該リンクレバーの移動する軸上で、遮断位置のシャッタと閉鎖状態の本体カバーとの離間距離よりも長くしたものである。
【００１０】
請求項３においては、
前記本体カバーは、装置本体の前面側で装置本体に対して開閉可能に取り付けられ、前記感光体およびその周辺部を露出させるフロントカバーとしたものである。
【発明の効果】
【００１１】
本発明の効果として、以下に示すような効果を奏する。
【００１２】
請求項１においては、レーザー光の露出防止対策構造が、低コストで実現される。
【００１３】
請求項２においては、シャッタの遮断・開放機構が低コストで実現される。
【００１４】
請求項３においては、画像形成装置の前側で、装置本体の内部を開放可能に構成しても、フロントカバーの開放時にレーザー光の漏れが防止される。
【発明を実施するための最良の形態】
【００１５】
本発明の画像形成装置の一実施の形態であるプリンタ１について、図面を用いて説明する。
プリンタ１における方向は、ユーザーの操作側を基準に定義している。図１は紙面に垂直な方向が前後方向となる正面断面図とし、特に、紙面手前側が前側である。
【００１６】
まず、図１を用いて、プリンタ１の全体構成を説明する。
プリンタ１は、電子写真プロセスにより画像形成を行う装置であり、該プリンタ１内に、帯電、露光、現像、転写、クリーニング、定着の各プロセスを担当する装置が設けられている。
これらの装置は、記録用の用紙が収容される給紙装置２から排紙トレイ３に至る用紙搬送経路Ｒに沿って付設されており、具体的には次のような装置よりなる。
【００１７】
まず、給紙装置２の用紙搬送経路Ｒの下流側には感光体ドラム４が配置されており、該感光体ドラム４上に、印字画像が静電潜像として形成される。
感光体ドラム４の周辺には、感光体ドラム４を帯電させる帯電器５、感光体ドラム４上に光照射して静電潜像を形成させる露光手段としてのレーザー走査装置６、トナーを感光体ドラム４に供給する現像ローラ７、用紙に静電潜像に対応するトナー像を転写する転写ローラ８、転写後のトナーを回収するイレーサーブラシ９、が設けられている。
【００１８】
感光体ドラム４の下流側には熱ローラ定着方式の定着装置１０が配置されており、該定着装置１０には、トナー像の転写された用紙を加熱するヒートローラ１１と、該用紙を加圧するプレスローラ１２と、が備えられている。そして、定着装置１０において、用紙上のトナー像の定着処理が行われる。
さらに、定着装置１０の下流側には、排出ローラ装置１３が配置されており、該排出ローラ装置１３により、定着装置１０を通過した用紙が排紙トレイ３上へと排出される。
【００１９】
前述した電子写真プロセスに関わる装置は、次に述べるようにユニット化されている。
ドラムユニット１４には、感光体ドラム４に加えて、帯電器５やイレーサーブラシ９が一体化されている。
トナーユニット１５には、トナーの収容室に加えて、現像ローラ７が一体化されている。
定着ユニット１６には、ヒートローラ１１およびプレスローラ１２が一体化されている。
そして、電子写真プロセスに関わる前記各装置が、消耗して交換を必要とする際には、前述した各ユニット単位で交換される。
【００２０】
図２に示すように、プリンタ１には、前記各種装置が備えられる装置本体２０と、該装置本体２０に対して開閉可能に設けられるフロントカバー２１と、が備えられている。フロントカバー２１は、装置本体２０の前面側、つまりユーザの操作側に位置し、図１において図示されないが、図１の紙面の手前側に位置している。
より詳しくは、フロントカバー２１は、その下端部で装置本体２０の幅方向（図２の左右方向）に平行な回動支軸回りに回動するように構成されている。
このフロントカバー２１の開放により、前記ユニットのうち、ドラムユニット１４とトナーユニット１５とが、装置本体２０の外部に露出される状態となる。
装置本体２０に備える前部フレーム３１には、これらのユニット１４・１５の前側（図２の下側）に、ユニットの挿脱孔３１ａが形成されており、該挿脱孔３１ａを通じて、ユーザによりこれらのユニット１４・１５の交換が可能である。
【００２１】
次に、図１、図２、図３を用いて、レーザー光の露出防止対策構造について説明する。
印字処理の実行時には、前述したように、レーザー走査装置６から感光体ドラム４に向けて、露光用の光としてレーザー光が照射される。
一方、前記フロントカバー２１が開放された際には、感光体ドラム４の周辺部が露出されるため、レーザー光の光路の少なくとも一部も露出されることになる。
つまり、レーザー光の照射時において、フロントカバー２１が開放されたときに、レーザー走査装置６の故障などの要因によって、インターロック機能が正常に動作しない、つまりレーザー走査装置６への電力供給が遮断されないことが起こると、装置本体２０外に万が一にもレーザー光が漏れてしまう恐れがある。レーザー光の露出防止対策構造は、このような不具合を防止するための手段である。
【００２２】
以下で詳しく説明するが、レーザー光の露出防止対策構造には、シャッタ２３と、シャッタ２３を移動自在に支持するリンク機構２４と、シャッタ２３を閉じる方向へ付勢する付勢手段と、フロントレバー２１とシャッタ２３との連動手段（リンクレバー２９）と、が備えられている。
【００２３】
図１、図２に示すように、レーザー走査装置６より感光体ドラム４に向けて照射されるレーザー光の通過する光路の全体領域（以下、光路領域）Ｔは、用紙幅方向より見る（図１）と直線状であるが、平面視（図２）だと扇形状となる。これは、用紙幅方向に沿って１ラインの走査光（レーザー光）が照射されるためである。
【００２４】
図１に示すように、レーザー走査装置６と感光体ドラム４との間には、前記光路領域Ｔを横断するように、金属板を折り曲げて形成されるシャッタ台２２が設けられている。
なお、シャッタ台２２は、図１においてＬ字状であり、レーザー走査装置６の支持フレームを構成しているが、以下でシャッタ台２２について詳述するのは、シャッタ台２２におけるＬ字の底辺部位、つまり、シャッタ台２２における光路領域Ｔの横断部位である。
【００２５】
図１、図３に示すように、シャッタ台２２には、用紙幅方向に沿って形成される開口として、スリット２２ａが設けられている。
スリット２２ａの開口幅は、レーザー走査装置６より照射されるレーザー光がシャッタ台２２により遮断されないように、光路領域Ｔよりも用紙幅方向および用紙搬送方向（図１の上下方向）で幅広に形成されている。
【００２６】
図１から図３に示すように、シャッタ台２２には、スリット２２ａを閉鎖可能とするシャッタ２３が設けられている。
詳しくは後述するが、シャッタ２３は、スリット２２ａを完全に閉じてレーザー光を遮断する遮断位置Ｐｃと、スリット２２ａを完全に開放する開放位置Ｐｏとの間で、変位可能にシャッタ台２２に取り付けられている。
【００２７】
また、図２に示すように、光路領域Ｔのうち、シャッタ２３より感光体ドラム４側に位置する領域をシャッタ下流領域ＴＬとし、シャッタ２３よりレーザー走査装置６側に位置する領域をシャッタ上流領域ＴＵとする。
【００２８】
図３（ａ）に示すように、このシャッタ２３の閉鎖により、スリット２２ａが完全に閉じられて、レーザー走査装置６より感光体ドラム４に向けて照射されるレーザー光が、遮断される。したがって、シャッタ２３の閉鎖時には、シャッタ２３より感光体ドラム４側の光路領域（シャッタ下流領域ＴＬ）に、レーザー光が照射されることはない。
そして、この状態においては、フロントカバー２１の開放により、感光体ドラム４の周辺部が装置本体２０の外部に露出しても、レーザー光が装置本体２０の外部に漏れることはない。
【００２９】
このシャッタ下流領域ＴＬは、装置本体２０のケーシングやフレームにより、被覆されない部位であり、フロントカバー２１の開放時に、スリット２２ａの開放・閉鎖に関わりなく、露出する恐れのある部位である。
レーザー光の露出防止対策構造は、以下で詳しく説明するが、フロントカバー２１の開放時に、このシャッタ下流領域ＴＬへのレーザー光の進入を防止するものである。レーザー光の進入がなければ、シャッタ下流領域ＴＬ自体が装置本体２０の外部に露出しても、レーザー光が装置本体２０の外部に漏れることはない。
【００３０】
これに対してシャッタ上流領域ＴＵは、装置本体２０に備える前部フレーム３１やシャッタ台２２を含めて、装置本体２０のケーシングにより被覆される構成である。
したがって、シャッタ２３によりスリット２２ａが閉鎖されれば、フロントカバー２１の開放時に、シャッタ上流領域ＴＵが装置本体２０の外部に露出することがない。つまり、スリット２２ａの閉鎖状態では、万が一にもレーザー走査装置６よりレーザー光がシャッタ上流領域ＴＵに照射されても、そのレーザー光が装置本体２０の外部に漏れることがない。
【００３１】
図３を用いて、シャッタ２３をシャッタ台２２に対して移動自在に支持するリンク機構２４について説明する。
リンク機構２４は平行リンクであり、用紙幅方向に沿って一対配置される支持アーム２５・２５を備えている。各支持アーム２５の下端部にはシャッタ２３が回動支軸２６回りに回動自在に設けられ、各支持アーム２５の上端部はシャッタ台２２に回動支軸２７回りに回動自在に支持されている。そしてリンク機構２４により、シャッタ２３が、スリット２２ａに対して傾斜することなく平行に移動可能となるように、シャッタ台２２に支持されている。
【００３２】
図３（ａ）に示すように、シャッタ２３の遮断位置Ｐｃは、回動支軸２６・２６を回動中心とするシャッタ２２の移動範囲の中で、最下となる位置に設定されている。つまり、支持アーム２５・２５が共に、上下方向に平行に垂れ下がった状態である。このとき、シャッタ２３により、スリット２２ａが完全に閉鎖された状態となる。
なお、シャッタ２３の遮断位置Ｐｃが前記最下となる位置に設定されている、とは、前記最下となる位置にシャッタ２３があるときに、スリット２２ａが完全に閉鎖されるように、スリット２２ａとシャッタ２３との位置関係が設定されていることを意味する。
また、後述するシャッタ２３の開放位置Ｐｏは、レーザー光の照射方向より見て（図３（ｂ））、遮断位置Ｐｃよりも左上に位置するが、このときスリット２２ａが完全に開放された状態となる。
【００３３】
シャッタ２３が遮断位置Ｐｃに移動するように付勢する付勢手段について説明する。
この付勢手段は二つあり、第一の付勢手段は、リンク機構２４のレイアウトにより作用するシャッタ２３の自重であり、第二の付勢手段は、シャッタ２３とシャッタ台２２との間に介設されるスプリング２８である。
そして、これらの付勢手段により、シャッタ２３は常時、遮断位置Ｐｃに移動するように付勢され、後述のリンクレバー２９によりシャッタ２３が押圧されない限りは、スリット２２ａが閉じられた状態となる。この状態では、シャッタ下流領域ＴＬへのレーザー光の進入が防止された状態に保たれている。
【００３４】
前記第一の付勢手段について説明する。
リンク機構２４のレイアウト上、シャッタ２３は、回動支軸２６・２６の下方でリンク機構２４に支持されるように構成されているため、シャッタ２３はその自重により、下方に移動するように付勢された状態にある。
特に、シャッタ２３の移動範囲の最下位置が、遮断位置Ｐｃに設定されているため、シャッタ２３がその自重により、常に遮断位置Ｐｃに移動するように付勢されていることになる。
【００３５】
前記第二の付勢手段について説明する。
シャッタ２３と、シャッタ台２２との間には、シャッタ２３の付勢手段としてのスプリング２８が介設されているが、シャッタ２３が遮断位置Ｐｃにあるときに、スプリング２８が自然長さとなるように、スプリング２８の支持位置が設定されている。
スプリング２８の支持位置とは、シャッタ２３上の支持部２３ａと、シャッタ台２２上の支持部２２ｂとである。両支持部２３ａ・２２ｂにそれぞれスプリング２８の両端のフック部分が引っ掛けられて、スプリング２８がシャッタ２３とシャッタ台２２との間に介設される構成である。
【００３６】
なお、シャッタ２３を遮断位置Ｐｃに移動するように付勢する手段としては、シャッタ２３の自重と、スプリング２８とのどちらか一方であってもよい。
特に、スプリング２８のみをシャッタ２３の付勢手段とする場合は、シャッタ２３を支持するリンク機構２４のレイアウト上の制限がなくなる。したがって、シャッタ２３の移動範囲の最下位置を前記遮断位置Ｐｃとする必要もなければ、回動支軸２６・２６の上方にシャッタ２３を設ける構成としても良い。
【００３７】
図２、図３を用いて、フロントカバー２１に連動してシャッタ２３を開放位置Ｐｏに移動させる連動手段について説明する。
図３（ａ）に示すように、シャッタ２３は、これより説明するリンクレバー２９による押圧がない状態では、前記二つの付勢手段（シャッタ２３の自重およびスプリング２８）の付勢により、遮断位置Ｐｃに位置しており、シャッタ下流領域ＴＬへのレーザー光の進入が防止されている。つまり、フロントカバー２１が開放された状態において、外部に露出される光路領域Ｔであるシャッタ下流領域ＴＬから、レーザー光が外部に漏れることがない。
一方、フロントカバー２１の閉鎖時には、光路領域Ｔが遮断されることなく開放されて、レーザー光が感光体４に到達する状態となるようにする必要がある。
そこで、常時遮断位置Ｐｃに付勢されているシャッタ２３を、フロントカバー２１の閉鎖時には前記付勢手段の付勢に逆らって、開放位置Ｐｏに移動させるための手段として、前記連動手段が設けられている。
【００３８】
前記連動手段は、フロントカバー２１と、シャッタ２３との間に介設されるリンクレバー２９である。
リンクレバー２９は、前記前部フレーム３１に形成され前後方向に貫通する挿通孔３１ｂに挿入されて、前後方向（図３における左右方向）にのみ移動自在に前部フレーム３１に支持されている。
そして、リンクレバー２９の前端部２９ａがフロントカバー２１の内側端面２１ａに接触可能であると共に、リンクレバー２９の後端部２９ｂがシャッタ２３の前端（図３の右端）に位置する当接部２３ｂに接触可能である。
【００３９】
ここで、リンクレバー２９は、前端部２９ａおよび後端部２９ｂが、フランジ状に前記挿通孔３１ｂの開口幅よりも幅広に形成されている。このため、前部フレーム３１に対して前後動自在のリンクレバー２９が、前部フレーム３１より脱落することがない。
また、リンクレバー２９の後端部２９ｂには、端部より内側に向けてスリットが形成されて、後端部２９ｂの形状が凹字状となっている。このため、リンクレバー２９を樹脂等の弾性を有する素材で形成することで、前端部２９ａを指等で押圧して、その幅を挿通孔３１ｂの開口幅よりも狭めることができる。つまり、いわゆるスナップフィットにより、一体物としたリンクレバー２９を、容易に前部フレーム３１に組付けることが可能である。
【００４０】
特に、リンクレバー２９の前後長さは、該リンクレバー２９の移動する軸上で、遮断位置Ｐｃにあるシャッタ２３の当接部２３ｂと、閉鎖状態にあるフロントカバー２１の内側端面２１ａとの間の距離よりも、長く形成されている。
なお、リンクレバー２９の移動する軸とは、リンクレバー２９の存在位置を含む前後方向の軸のことを指している。
このため、図３（ｂ）に示すように、フロントカバー２１が完全に装置本体２０を閉じた状態では、フロントカバー２１にリンクレバー２９を介してシャッタ２３が後側（図３の左側）へと押し出されることになる。
そして、閉鎖時のフロントカバー２１により押し出されたシャッタ２３の停止位置が、シャッタ２３によるスリット２２ａの開放位置Ｐｏとして、設定されている。この開放位置Ｐｏの設定は、リンクレバー２９の前後長さの変更によって可能である。
ここで、シャッタ２３が開放位置Ｐｏにあるとき、前述したように、スリット２２ａは完全に開放される。
【００４１】
また、フロントカバー２１が開放されると、リンクレバー２９が前端部２９ａで制止されず、したがってシャッタ２３の遮断位置Ｐｃ側への移動が可能となるので、シャッタ２３は、前記二つの付勢手段（シャッタ２３の自重およびスプリング２８）の付勢を受けて、遮断位置Ｐｃへ移動する。
【００４２】
以上のようにしてレーザー光の露出防止対策構造が構成される。
この露出防止対策構造により、フロントカバー２１が開放されると、シャッタ２３が遮断位置Ｐｃに移動して（図３（ａ））、レーザー光のシャッタ下流領域ＴＬへの進入が防止される。また、フロントカバー２１が開放されると、シャッタ２３が開放位置Ｐｏに移動して（図３（ｂ））、レーザー光が感光体ドラム４に到達可能となる。
【００４３】
以上で説明したレーザー光の露出防止対策構造に関してまとめる。
まず、この露出防止対策構造装置は、装置本体２０に対して開閉する単一の本体カバーを備えると共に、該本体カバーの開放により、レーザー走査装置６より感光体に至る光路領域Ｔの少なくとも一部が露出される構成の画像形成装置に設けられるものである。
本実施の形態では、前記本体カバーはフロントカバー２１であり、感光体はドラム状とした感光体ドラム４であり、画像形成装置はプリンタ１である。また、前記露出される光路領域は、前記シャッタ下流側領域ＴＬである。
【００４４】
前記露出防止対策構造には、シャッタ２３、リンク機構２４、シャッタ２３を常に遮断位置Ｐｃに付勢するための付勢手段、本体カバー（フロントカバー２１）に連動する連動手段（リンクレバー２９）が、備えられている。
シャッタ２３は、前記本体カバー（フロントカバー２１）の開放時に露出される光路領域（シャッタ下流側領域ＴＬ）にレーザー光が進入するのを遮断するものである。
リンク機構２４は、シャッタ２３を前記レーザー光の遮断位置Ｐｃと開放位置Ｐｏとの間で移動自在に装置本体に支持するものである。
付勢手段は、シャッタ２３が前記遮断位置Ｐｃに移動するようにシャッタ２３を付勢するものである。本実施の形態では、リンク機構２４のレイアウトによるシャッタ２３の自重と、シャッタ２３と装置本体２０（シャッタ台２２）との間に介設されるスプリング２８と、にしているが、どちらか一方のみであってもよい。
連動手段（リンクレバー２９）は、本体カバー（フロントカバー２１）の閉鎖に連動して前記シャッタ２３を開放位置Ｐｏに移動させるものである。なお、連動手段としては、リンクレバー２９を設ける構成に限定されるものではなく、フロントカバー２１の内側端面２１ａを、シャッタ２３の当接部２３ｂに直接当接可能としてもよい。この場合、フロントカバー２１の内側端面２１ａが、フロントカバー２９に連動してシャッタ２３を開放位置Ｐｏに移動させる連動手段に相当する。
【００４５】
このため、本体カバー（フロントカバー２１）が開放されると、シャッタ２３が遮断位置Ｐｃに移動してレーザー光の前記露出される領域（シャッタ下流領域ＴＬ）への進入が防止され、本体カバー（フロントカバー２１）が開放されると、シャッタ２３が開放位置Ｐｏに移動してレーザー光が感光体（感光体ドラム４）に到達可能となる。
したがって、レーザー光の露出防止対策構造が、低コストで実現される。
【００４６】
前記連動手段を、前記シャッタ２３の移動方向に沿って装置本体２０に移動自在に設けるリンクレバー２９とし、リンクレバー２９の前記移動方向における長さを、該リンクレバー２９の移動する軸上で、遮断位置Ｐｃのシャッタ２３と閉鎖状態の本体カバー（フロントカバー２１）との離間距離よりも長くしている。
【００４７】
このため、本体カバー（フロントカバー２１）が開放されると、シャッタ２３が遮断位置Ｐｃに移動してレーザー光の前記露出される光路領域（シャッタ下流領域ＴＬ）への進入が防止され、本体カバー（フロントカバー２１）が開放されると、シャッタ２３が開放位置Ｐｏに移動してレーザー光が感光体ドラム４に到達可能となる。
したがって、シャッタ２３の遮断・開放機構が低コストで実現される。
【００４８】
また、前記本体カバーは、装置本体２０の前面側（ユーザ操作側）で装置本体２０に対して開閉可能に取り付けられ、前記感光体（感光体ドラム４）およびその周辺部を露出させるフロントカバー２１としている。
【００４９】
このため、フロントカバー２１の開放により、レーザー光の光路領域Ｔの一部（シャッタ下流側領域ＴＬ）が開放されるが、該光路領域Ｔの一部（シャッタ下流側領域ＴＬ）へのレーザー光の進入が防止される。
したがって、画像形成装置（プリンタ１）の前側で、装置本体２０の内部を開放可能に構成しても、フロントカバー２１の開放時にレーザー光の漏れが防止される。
【図面の簡単な説明】
【００５０】
【図１】プリンタの正面断面図である。
【図２】プリンタの平面図である。
【図３】レーザー走査装置からのレーザー光進行方向より見たシャッタ機構を示す図である。
【符号の説明】
【００５１】
１    プリンタ
６    レーザー走査装置
２１    フロントカバー
２３    シャッタ
２４    リンク機構
２８    スプリング（付勢手段）
２９    リンクレバー（連動手段）
Ｔ    光路領域
ＴＵ    シャッタ上流側領域
ＴＬ    シャッタ下流側領域（露出される光路領域）
Ｐｃ    遮断位置
Ｐｏ    開放位置
【図１】
2005250325.tif 000003
【図２】
2005250325.tif 000004
【図３】
2005250325.tif 000005